(57)【要約】【課題】プラスイオンとマイナスイオンとを同量発生させてイオンクラスターを発生させる電源回路が知られているが、従来の回路では多量のイオンを発生することができない。また、プラスイオンかマイナスイオンを単独で発生させる回路では、多量のイオンを発生させることができるが、この回路を単に２個使っても同量のプラスイオンとマイナスイオンを発生させることができない。【解決手段】プラスイオンを発生させる２次コイル３とマイナスイオンを発生させる２次コイル４とに１個の１次コイル１１からエネルギを供給し、両２次コイル３，４の出力を相互に同期させるようにした。【選択図】  図１
2004259673.tif 000002
【特許請求の範囲】
【請求項１】
イオン発生装置に内蔵された相互に対応する１対の電極間に印加させる高電圧を発生させる電源回路であって、コンデンサが接続され発振回路を形成する１次コイルと上記１対の電極に接続された２次コイルとを備えた昇圧トランスを有するものにおいて、同期して作動する極性の相違する２個の２次コイルを設け、その２次コイルの各々に接続される電極からプラスイオンとマイナスイオンとを各々発生させるようにしたことを特徴とするイオン発生装置用電源回路。
【請求項２】
１個の１次コイルと１個の２次コイルとからなる昇圧トランスを２個用い、両昇圧コイルの１次コイルに電力を供給する交流電源を共通の１個としたことを特徴とする請求項１記載のイオン発生装置用電源回路。
【請求項３】
磁路を共通とする２個の２次コイルを有する昇圧トランスを用いたことを特徴とする請求項１記載のイオン発生装置用電源回路。
【請求項４】
少なくともプラスイオンの発生を断続させるスイッチ手段を設けたことを特長とする請求項１から請求項３のいずれかに記載のイオン発生装置用電源回路。
【発明の詳細な説明】
【０００１】
【発明の属する技術分野】
本発明は、高電圧が印加された１対の電極間からイオンを発生させるイオン発生装置に用いられる電源回路に関する。
【０００２】
【従来の技術】
１対の電極を相互に対向させ両電極間に高電圧を印加すると両電極間にコロナ放電が発生する。このコロナ放電が発生すると空気中の酸素分子が電離し、プラスイオンであるオゾンやマイナスイオンが発生する。
【０００３】
マイナスイオンは緊張を取り除きリラックスさせる効果があり、オゾンは強い酸化性を有するため空気中の異臭物質やバクテリアを無効化する効果がある。また、マイナスイオンとプラスイオンとを同量発生させると、両イオンが空気中で塊となりイオンクラスターを形成することが知られている。このイオンクラスターが形成される際にバクテリアや微細な埃を両イオンが取り囲みイオンクラスターの内部に閉じ込めることが明らかになってきた。
【０００４】
マイナスイオンを発生させる従来の回路は、電極に高圧電力を継続して供給するものであり、継続して多量のマイナスイオンを発生させることができる（例えば、特許文献１参照）。なお、電極への印加電圧の極性を反転させるとプラスイオンが発生する。
【０００５】
一方、イオンクラスターを発生させるためにはマイナスイオンの発生量とプラスイオンの発生量とを同一にする必要がある。そのため、電極のキャパシタンスと２次コイルのリーケージインダクタンスとで共振させてマイナスイオンとプラスイオンが交互に発生し、かつ両発生量が等しくなるようにしたものが知られている（例えば、特許文献２参照）。
【０００６】
【特許文献１】
特開２００３−２８４３５号公報（図４）
【０００７】
【特許文献２】
特開２００３−７４２７号公報（図１および図２）
【０００８】
【発明が解決しようとする課題】
上記特許文献２記載の回路では、２次側の共振によって放電を行っているので、特許文献１記載の回路のように強制的に高圧電力を２次側に発生させて放電を行うものに比べて、電極に供給することのできるエネルギーが非常に少ない。そのため、特許文献２記載の回路を用いて発生させることのできるイオンの量は、特許文献１記載のような他の回路により発生するイオンの量に比べて極端に少ない。
【０００９】
また、特許文献１記載の回路を２個用いて各々マイナスイオンとプラスイオンとを発生させることが考えられる。このように構成すれば、マイナスイオンおよびプラスイオンは共に多量に発生させることができるものの、マイナスイオンとプラスイオンとの発生量を同一に制御することが難しい。
【００１０】
そこで本発明は、上記の問題点に鑑み、同量のマイナスイオンとプラスイオンを多量の発生させることのできるイオン発生装置用電源回路を提供することを課題とする。
【００１１】
【課題を解決するための手段】
上記課題を解決するために本発明によるイオン発生装置用電源回路は、イオン発生装置に内蔵された相互に対応する１対の電極間に印加させる高電圧を発生させる電源回路であって、コンデンサが接続され発振回路を形成する１次コイルと上記１対の電極に接続された２次コイルとを備えた昇圧トランスを有するものにおいて、同期して作動する極性の相違する２個の２次コイルを設け、その２次コイルの各々に接続される電極からプラスイオンとマイナスイオンとを各々発生させるようにしたことを特徴とする。
【００１２】
２個の２次コイルの各々にマイナスイオンを発生させるための電極と、プラスイオンを発生させる電極とを接続させ、両電極からマイナスイオンとプラスイオンを別個に発生させるので、マイナスイオンとプラスイオンとを共に多量の発生させることができる。なお、両２次コイルは同期して作動するので、マイナスイオンの発生量とプラスイオンの発生量とを互いに同じにすることができる。
【００１３】
なお、同期させる手段としては、例えば１個の１次コイルと１個の２次コイルとからなる昇圧トランスを２個用い、両昇圧コイルの１次コイルに電力を供給する交流電源を共通の１個としてもよい。
【００１４】
あるいは、磁路を共通とする２個の２次コイルを有する昇圧トランスを用いてもよい。
【００１５】
なお、少なくともプラスイオンの発生を断続させるスイッチ手段を設ければ、イオンクラスターとマイナスイオンを交互に発生させることができ、殺菌とリラックス効果を同時に得ることができる。
【００１６】
【発明の実施の形態】
図１を参照して、１は昇圧トランスであり、１次コイル１１と磁路を共通とする２個の２次コイル３，４とを備えている。２次コイル３，４は互いに極性が反対になるように巻回されており、端子１２と端子３１との間に接続された電極からはプラスイオンが発生し、端子１２と端子４１との間に接続された電極からはマイナスイオンが発生するように構成されている。なお、２は交流電源であり、スイッチ２１を介して１次コイル１１に交流電力を供給するものである。
【００１７】
図２を合わせて参照して、本実施の形態では１次コイル１１に中間タップを設け、スイッチ３２によって１次コイル１１の半分１１ａを短絡できるようにした。プラスイオンとマイナスイオンとを同じ量ずつ発生させる場合にはこのスイッチ３２をオフにしておく。すると、１次コイル１１の半分１１ａおよび他方の半分１１ｂには各々同じ電圧が印加され、２次コイル３，４には同じ大きさの起電力が生じる。
【００１８】
次に、スイッチ３２をオンにして半分１１ａを短絡すると、電源２からの電力はすべて半分１１ｂに供給される。そのため、２次コイル４には高圧が発生するが、２次コイル３にはほとんど起電力が生じない。なお、図２に示すように、２次コイル３と２次コイル４との間に間隔を設けたので、両者の結合は弱く、２次コイル３に大きな起電力が生じることはない。
【００１９】
端子３１，１２間に接続されている電極のギャップ間にコロナ放電を発生させるためには所定の電圧以上の電力を供給しなければならない。ところが、スイッチ３２をオンにすると、２次コイル３にはこの所定の電圧以上の電力が生じないので、端子３１，１２間に接続している電極からはイオンが発生しない。そして、このイオンを発生しない電極をプラスイオン用に設定しているので、スイッチ３２をオンにすることによりマイナスイオンのみを発生させることができる。なお、１０はフェライトコアである。
【００２０】
図３を参照して、Ｐは端子３１に供給される高圧電力の波形であり、Ｎは端子４１に供給される高圧電力の波形である。２次コイル３，４は１個の１次コイル１１を共用しているので両端子３１，４１に供給される高圧電力は位相のずれが無く完全に同期する。従って、両端子３１，４１に接続されている電極からは同じ量のプラスイオンとマイナスイオンが発生する。
【００２１】
なお、スイッチ３２をオフにするとプラスイオンの発生が停止され、マイナスイオンのみが発生する。スイッチ３２を連続してオフにしてマイナスイオンのみを発生させるように運転してもよいが、スイッチ３２を断続してオンオフさせることによってイオンクラスターとマイナスイオンとを同時に発生させるようにしてもよい。
【００２２】
次に図４を参照して、本図に示す実施に形態は１個の１次コイル５１と１個の２次コイル５２とを有する昇圧トランス５を用いた２つの回路を１個の交流電源２に対して並列に接続したものである。プラスイオンを発生するための電極は端子６および端子１２間に接続し、マイナスイオンを発生する電極を端子７および端子１２間に接続する。
【００２３】
本実施に形態による回路構成では、図５に示すように、反転すれば同一の波形であるが、位相が１８０度ずれている。ただし、プラスイオンの発生量とマイナスイオンの発生量は同じになるので、イオンクラスターを発生させるには問題ない。また、スイッチ２１をオフにしてマイナスイオンのみを発生させてもよく、また、図６に示すように、スイッチ５を断続してオンオフさせて、上述同じくイオンクラスターとマイナスイオンを同時に発生させてもよい。さらには、スイッチ２１をオンにするとともに、スイッチ２２をオフにしてプラスイオンのみを発生させるように運転してもよい。
【００２４】
【発明の効果】
以上の説明から明らかなように、本発明は、プラスイオンとマイナスイオンとを同量ずつ、かつ多量に発生させることができるので、イオンクラスターを多量に発生させることができる。
【図面の簡単な説明】
【図１】第１の実施の形態における回路図
【図２】昇圧トランスの構造を示す図
【図３】図１の回路の出力波形を示す図
【図４】第２の実施の形態における回路図
【図５】図３の回路の出力波形を示す図
【図６】プラス側を断続運転した場合の出力波形を示す図
【符号の説明】
１  昇圧トランス
２  交流電源
３  ２次コイル
４  ２次コイル
５  昇圧コイル
１１  １次コイル
５１  １次コイル
５２  ２次コイル
【図１】
2004259673.tif 000003
【図２】
2004259673.tif 000004
【図３】
2004259673.tif 000005
【図４】
2004259673.tif 000006
【図５】
2004259673.tif 000007
【図６】
2004259673.tif 000008